(57)【要約】      （修正有）【課題】腸管自動投薬装置を提供する。【解決手段】腸管自動投薬装置はエアポンプ１、第１の電磁弁２、バッファコンテナ３、第１の圧力センサ４、第２の電磁弁５、液体貯蔵手段６、及び制御器を備える。本装置は気体路と液体路が分離しており、圧力センサにより作動圧力モニタリングし、エアポンプの出力量をリアルタイムに動的に調節することにより、液体貯蔵瓶内の圧力を安定させて、液体流量を安定させ、薬液を定圧で病巣部位に到達させ、一方向弁９とピンチ弁７により液体が逆流してパイプが汚れるのを防止し、制御器により電磁弁のオン・オフを制御し、給気、給液、間欠的な給液及び給気を実現し、診断と治療に有用である。【選択図】図１
2020127715.tif 000002
【特許請求の範囲】
【請求項１】
エアポンプ、第１の電磁弁、バッファコンテナ、第１の圧力センサ、第２の電磁弁、液体貯蔵手段、及び制御器を備え、前記エアポンプの給気口は気体を吸入し、前記エアポンプの出口は前記第１の電磁弁の入口端に接続され、前記第１の電磁弁の出口端は前記バッファコンテナに接続され、前記バッファコンテナは前記第２の電磁弁の入口端に接続され、前記第１の圧力センサは前記バッファコンテナと前記第２の電磁弁の入口端に接続されたパイプに取り付けられ、前記第２の電磁弁の第１の出口端は給気パイプの一端に接続され、前記第２の電磁弁の第２の出口端は前記液体貯蔵手段に連通し、前記液体貯蔵手段は給液パイプの一端に接続され、前記給液パイプの他端は前記給気パイプの他端に接合されて人体内に配置され、前記制御器は前記第１の圧力センサ、エアポンプ、第１の電磁弁、及び第２の電磁弁に接続され、前記制御器は前記第１の圧力センサがアップロードした圧力数値に基づき、前記エアポンプの回転速度をリアルタイムに調整し、前記第１の電磁弁及び第２の電磁弁のオンとオフを制御することを特徴とする腸管自動投薬装置。
【請求項２】
一方向弁をさらに備え、前記一方向弁は前記給気パイプに取り付けられ、前記給気パイプの一端と、前記給液パイプの他端と前記給気パイプの他端の接合位置部との間に配置されることを特徴とする請求項１に記載の腸管自動投薬装置。
【請求項３】
ピンチ弁をさらに備え、前記ピンチ弁は前記給液パイプに取り付けられ、前記給液パイプの一端と、前記給液パイプの他端と前記給気パイプの他端の接合位置部との間に配置されることを特徴とする請求項１に記載の腸管自動投薬装置。
【請求項４】
第２の圧力センサをさらに備え、前記第２の圧力センサは前記制御器に接続され、前記第２の圧力センサは前記ピンチ弁と、前記給液パイプの他端と前記給気パイプの他端の接合位置部との間に取り付けられることを特徴とする請求項３に記載の腸管自動投薬装置。
【請求項５】
前記第１の電磁弁は２入口１出口の２位置３方向電磁弁であることを特徴とする請求項１に記載の腸管自動投薬装置。
【請求項６】
前記第２の電磁弁は１入口２出口の２位置３方向電磁弁であることを特徴とする請求項１に記載の腸管自動投薬装置。
【請求項７】
前記液体貯蔵手段は液体貯蔵瓶であることを特徴とする請求項１に記載の腸管自動投薬装置。
【発明の詳細な説明】
【技術分野】
【０００１】
本発明は医療機器技術分野に関し、特に腸管自動投薬装置に関する。
【背景技術】
【０００２】
腸管投薬は経口、注射以外の重要な第３の投薬方法であり、従来の腸管投薬方法の一つは自然重力に依存する吊り下げ浣腸バッグによるもので、もう一つは人工的に推し入れることに依存する針によるものである。この二つの投薬方法は圧力が不安定でかつ非持続的であるため、薬液は直腸までしか到達できず、最大でも直腸とＳ状結腸の接合部までであり、例えば横行結腸などのより深い部位までは到達できず、ましてや回盲部には到達できず、大腸を貫くことなどはできない。
【発明の概要】
【０００３】
従来技術に存在する問題を解消するために、本発明は従来の腸管投薬方法の圧力が不安定でかつ非持続的であり、薬液は直腸までしか到達できず、最大でも直腸とＳ状結腸接合部までであり、例えば横行結腸などのより深い部位までは到達できず、ましてや回盲部には到達できず、大腸を貫くことなどはできないという問題を解消した、腸管自動投薬装置を提供することを目的とする。
【０００４】
本発明は、エアポンプ、第１の電磁弁、バッファコンテナ、第１の圧力センサ、第２の電磁弁、液体貯蔵手段、及び制御器を備え、前記エアポンプの給気口は気体を吸入し、前記エアポンプの出口は前記第１の電磁弁の入口端に接続され、前記第１の電磁弁の出口端は前記バッファコンテナに接続され、前記バッファコンテナは前記第２の電磁弁の入口端に接続され、前記第１の圧力センサは前記バッファコンテナと前記第２の電磁弁の入口端に接続されたパイプに取り付けられ、前記第２の電磁弁の第１の出口端は給気パイプの一端に接続され、前記第２の電磁弁の第２の出口端は前記液体貯蔵手段に連通し、前記液体貯蔵手段は給液パイプの一端に接続され、前記給液パイプの他端は前記給気パイプの他端に接合されて人体内に配置され、前記制御器は前記圧力センサ、エアポンプに接続され、前記制御器は前記第１の圧力センサがアップロードした圧力数値に基づき、前記エアポンプの回転速度をリアルタイムに調整し、前記第１の電磁弁及び第２の電磁弁のオンとオフを制御する腸管自動投薬装置を提供する。
【０００５】
さらには、一方向弁をさらに備え、前記一方向弁は前記給気パイプに取り付けられ、前記給気パイプの一端と、前記給液パイプの他端と前記給気パイプの他端の接合位置部との間に配置される。
【０００６】
さらには、ピンチ弁をさらに備え、前記ピンチ弁は前記給液パイプに取り付けられ、前記給液パイプの一端と、前記給液パイプの他端と前記給気パイプの他端の接合位置部との間に配置される。
【０００７】
さらには、第２の圧力センサをさらに備え、前記第２の圧力センサは前記制御器に接続され、前記第２の圧力センサは前記ピンチ弁と、前記給液パイプの他端と前記給気パイプの他端の接合位置部との間に配置される。
【０００８】
さらには、前記第１の電磁弁は２入口１出口の２位置３方向電磁弁である。
【０００９】
さらには、前記第２の電磁弁は１入口２出口の２位置３方向電磁弁である。
【００１０】
さらには、前記液体貯蔵手段は液体貯蔵瓶である。
【００１１】
本発明は従来技術に比べ、以下の有益な効果を実現する：
【００１２】
本発明は、エアポンプ、第１の電磁弁、バッファコンテナ、第１の圧力センサ、第２の電磁弁、液体貯蔵手段、及び制御器を備え、エアポンプの給気口は気体を吸入し、エアポンプの出口は第１の電磁弁の入口端に接続され、第１の電磁弁の出口端はバッファコンテナに接続され、バッファコンテナは第２の電磁弁の入口端に接続され、第１の圧力センサはバッファコンテナと第２の電磁弁の入口端に接続されたパイプに取り付けられ、第２の電磁弁の第１の出口端は給気パイプの一端に接続され、第２の電磁弁の第２の出口端は液体貯蔵手段に連通し、液体貯蔵手段は給液パイプの一端に接続され、給液パイプの他端は給気パイプの他端に接合されて人体内に配置され、制御器は圧力センサ、エアポンプに接続され、制御器は第１の圧力センサがアップロードした圧力数値に基づき、エアポンプの回転速度をリアルタイムに調整し、第１の電磁弁及び第２の電磁弁のオンとオフを制御する腸管自動投薬装置を提供する。本発明は、気体路と液体路が分離しており、圧力センサにより作動圧力をモニタリングしてエアポンプの出力量をリアルタイムに動的に調節することにより、液体貯蔵瓶内の圧力を安定させて、液体流量を安定させ、薬液を定圧で病巣部位に到達させ、一方向弁とピンチ弁により液体が逆流してパイプが汚れるのを防止し、制御器により電磁弁のオン・オフを制御し、給気、給液、間欠的な給液及び給気、排出を実現し、診断と治療に有用である腸管自動化投薬を実現できる。
【００１３】
上記の説明は単に本発明の技術手段の概要に過ぎず、本発明の技術手段をより明確に理解し、明細書の内容に基づいて実施できるよう、以下に図面と合わせて本発明の好ましい実施例により詳細に説明している。本発明の具体的な実施の形態は以下の実施例とその図面により詳細に示される。
【図面の簡単な説明】
【００１４】
ここで説明する図面は本発明をさらに理解するために提供するものであり、本出願の一部を成すが、本発明の概略的な実施例及びその説明は本発明を解釈するためのものであり、本発明を限定するものではない。
【００１５】
【図１】本発明の腸管自動投薬装置の概略図である。
【００１６】
１  エアポンプ
２  第１の電磁弁
３  バッファコンテナ
４  第１の圧力センサ
５  第２の電磁弁
６  液体貯蔵手段
７  ピンチ弁
８  第２の圧力センサ
９  一方向弁。
【発明を実施するための形態】
【００１７】
以下、図面と具体的な実施の形態を合わせて本発明をさらに説明する。なお、食い違いが生じない前提で、以下に説明する各実施例間または各技術的特徴間は任意に組み合わせて新しい実施例を形成できる。
【００１８】
図１に示すように、腸管自動投薬装置であって、エアポンプ１、第１の電磁弁２、バッファコンテナ３、第１の圧力センサ４、第２の電磁弁５、液体貯蔵手段６、及び制御器を備え、エアポンプ１の給気口は気体を吸入し、エアポンプ１の出口は第１の電磁弁２の入口端に接続され、第１の電磁弁２の出口端はバッファコンテナ３に接続され、バッファコンテナ３は第２の電磁弁５の入口端に接続され、第１の圧力センサ４はバッファコンテナ３と第２の電磁弁５の入口端に接続されたパイプに取り付けられ、第２の電磁弁５の第１の出口端は給気パイプの一端に接続され、第２の電磁弁５の第２の出口端は液体貯蔵手段６に連通し、液体貯蔵手段６は給液パイプの一端に接続され、給液パイプの他端は給気パイプの他端に接合されて人体内に配置され、制御器は圧力センサ、エアポンプ１に接続され、制御器は第１の圧力センサ４がアップロードした圧力数値に基づき、エアポンプ１の回転速度をリアルタイムに調整し、第１の電磁弁２及び第２の電磁弁５のオンとオフを制御する。好ましくは、液体貯蔵手段６は液体貯蔵瓶である。気体路と液体路が分離しており、第１の圧力センサ４により作動圧力をモニタリングしてエアポンプ１の出力量をリアルタイムに動的に調節することにより、液体貯蔵瓶内の圧力を安定させて、液体流量を安定させ、薬液を定圧で病巣部位に到達させることができる腸管自動化投薬を実現できる。
【００１９】
図１に示すように、好ましくは、一方向弁９をさらに備え、一方向弁９は給気パイプに取り付けられ、給気パイプの一端と、給液パイプの他端と給気パイプの他端の接合位置部との間に配置される。好ましくは、ピンチ弁７をさらに備え、ピンチ弁７は給液パイプに取り付けられ、給液パイプの一端と、給液パイプの他端と給気パイプの他端の接合位置部との間に配置される。好ましくは、第２の圧力センサ８をさらに備え、第２の圧力センサ８は制御器に接続され、第２の圧力センサ８はピンチ弁７と、給液パイプの他端と給気パイプの他端の接合位置部との間に配置される。一方向弁９とピンチ弁７により液体が逆流してパイプが汚れるのを防止する。
【００２０】
一つの実施例において、好ましくは、第１の電磁弁２は２入口１出口の２位置３方向電磁弁である。好ましくは、第２の電磁弁５は１入口２出口の２位置３方向電磁弁である。制御器により第１の電磁弁２及び第２の電磁弁５のオン・オフを制御し、給気、給液、間欠的な給液及び給気を実現し、気体により液体をより均一に腸壁に付着させる。給気モード：制御器が第１の電磁弁２及び第２の電磁弁５をオンに制御することで、気体がエアポンプ１を通過して第１の電磁弁２の第１の入口端に入り、第１の電磁弁２の出口端を経由してバッファコンテナ３に入り、そして第２の電磁弁５の入口端、第１の出口端に達し、気体は給気パイプを通過して人体の腸管に流れ込む。給液モード：制御器が第１の電磁弁２をオンに、第２の電磁弁５をオフに制御することで、気体がエアポンプ１を通過して第１の電磁弁２の第１の入口端に入り、第１の電磁弁２の出口端を経由してバッファコンテナ３に入り、そして第２の電磁弁５の入口端、第２の出口端に達し、液体貯蔵瓶内に空気を入れ、正圧を形成して、液体が人体の腸管に流れ込むように働きかける。間欠的な給液及び給気モード：制御器が第１の電磁弁２をオンに制御し、一定時間の割合で第２の電磁弁５のオンとオフを制御して、気体と液体を一定の割合で人体の腸管に送り込み、気体は液体をより均一に腸壁に付着させる。バリウムを腸壁に均一に付着できるのであれば、バリウム造影、ガスバリウムの二重造影に対する価値は大きい。制御器が第１の電磁弁２をオフにすると、バッファコンテナ３内の気体が第１の電磁弁２の第２の入口端から排出される。
【００２１】
本発明は腸管自動投薬装置を提供し、エアポンプ１、第１の電磁弁２、バッファコンテナ３、第１の圧力センサ４、第２の電磁弁５、液体貯蔵手段６、及び制御器を備え、エアポンプ１の給気口は気体を吸入し、エアポンプ１の出口は第１の電磁弁２の入口端に接続され、第１の電磁弁２の出口端はバッファコンテナ３に接続され、バッファコンテナ３は第２の電磁弁５の入口端に接続され、第１の圧力センサ４はバッファコンテナ３と第２の電磁弁５の入口端に接続されたパイプに取り付けられ、第２の電磁弁５の第１の出口端は給気パイプの一端に接続され、第２の電磁弁５の第２の出口端は液体貯蔵手段６に連通し、液体貯蔵手段６は給液パイプの一端に接続され、給液パイプの他端は給気パイプの他端に接合されて人体内に配置され、制御器は圧力センサ、エアポンプ１に接続され、制御器は第１の圧力センサ４がアップロードした圧力数値に基づき、エアポンプ１の回転速度をリアルタイムに調整し、第１の電磁弁２及び第２の電磁弁５のオンとオフを制御する。本発明は、気体路と液体路が分離しており、圧力センサにより作動圧力をモニタリングしてエアポンプ１の出力量をリアルタイムに動的に調節し、液体貯蔵瓶内の圧力を安定させて、液体流量を安定させ、薬液を定圧で回盲部に到達させ、一方向弁９とピンチ弁７により液体が逆流してパイプが汚れるのを防止し、制御器により電磁弁のオン・オフを制御し、給気、給液、間欠的な給液及び給気を実現し、気体は液体をより均一に腸壁に付着させ、診断と治療に有用であり、医療事故の発生を減らすことができる腸管自動化投薬を実現できる。
【００２２】
以上は単に本発明の好ましい実施例に過ぎず、如何なる形式においても本発明を限定するものではない。当業者は明細書や図に示された内容と以上の説明に基づき本発明を難なく実施できる。但し当業者が本発明の技術手段を逸脱しない範囲において、以上に公開された技術内容に基づき行った変更、修正、改善などの均等的な変化はいずれも本発明と均等の実施例である。同時に本発明の実質的な技術に基づき、以上の実施例に対して行われた如何なる均等的な変化の変更、修正、改善などはいずれも本発明の技術手段の保護範囲内に含まれると理解されるべきである。
【図１】
2020127715.tif 000003
【外国語明細書】
2020127715000001.pdf